(57)【要約】【課題】入金または出金を自動的に行う現金自動取引装置において出金取引の前に取引限度額の設定を解除し、新たに取引限度額を変更し登録できる。また取引限度額を変更し登録する際に、現金自動取引装置に直接取引限度額を入力することなく取引限度額を変更することができる。また、現金自動取引装置で限度額の取引をする際に本人確認のための暗証番号などの入力が不要である。【解決手段】利用者が現金自動取引装置で簡単に取引限度額を解除し、利用者が予め登録している取引限度額に設定変更可能な構成の現金自動取引システム。また、利用者が現金自動取引装置に本人確認のための磁気カードの暗証番号や新たに設定する取引限度額を直接入力することなく取引限度額を設定し、本人確認のための情報や取引限度額の入力情報が漏れない構成の現金自動取引システム。【選択図】図１
2013020320.tif 000002
【特許請求の範囲】
【請求項１】
入金または出金を行う現金自動取引装置と、サーバーとデータベースからなる現金自動取引システムにおいて、前記データベースには限度額を解除するための入金取引情報と利用者が設定している取引限度額の情報が記録されている。利用者が前記現金自動取引装置で入金取引を実行したとき、前記サーバーは現金自動取引装置の入金された貨幣の金種、金額の情報を受信する手段と前記入金された貨幣の金種、金額の情報が前期データベースに記録されている限度額を解除するための入金取引情報と同じであるか否かを判断する手段と、前記限度額を解除するための入金取引情報が同じであった場合は現金自動取引装置の取引限度額を解除し、前期データベースの利用者が設定している取引限度額の情報を送信する手段を有する現金自動取引システム。
【請求項２】
入金または出金を行う現金自動取引装置と、サーバーとデータベースからなる現金取引システムにおいて、前記データベースは限定額を解除するための出金取引の情報と利用者が設定している取引限度額の情報が記録されている。利用者が前記現金自動取引装置で出金取引を実行したとき、前記サーバーは現金自動取引装置の出金取引で出金指示した貨幣の枚数または金種などの情報を受信する手段と前記出金指示された貨幣の枚数または金種などの情報が前期データベースに記憶された限定額を解除する出金取引の情報と同じであるか否かを判断する手段と、前記限定額を解除する出金取引の情報が同じであった場合は現金自動取引装置の取引限度額を解除し、前期データベースに記憶されている利用者の取引限度額の情報を送信する手段を有する現金自動取引システム。
【請求項３】
入金または出金を行う現金自動取引装置と、サーバーとデータベースからなる現金取引システムにおいて、前記データベースは限定額を解除する複数の入出金取引の情報と予め利用者が設定した取引限度額の情報を含み、前記現金自動取引装置によって複数の出金取引を実行したとき、前記サーバーは現金自動取引装置の入出金取引で入金または出金した貨幣の枚数または金種などの情報を受信する手段と前記入出金取引の情報が前期データベースに記憶された限定額を解除する複数の入出金取引の情報と同じであるか否かを判断する手段と、前記限定額を解除する複数の入出金取引の情報が同じであった場合は現金自動取引装置の取引限度額を解除し、前期データベースに記憶されている利用者の取引限度額の情報を送信する手段を有する現金自動取引システム。
【発明の詳細な説明】
【技術分野】
【０００１】
本発明は、現金自動取引システムに関する。
【背景技術】
【０００２】
本技術分野の背景技術として、特開２００５−３３９１９２号公報がある。この公報には、「本人確認を行う自動対応サービス機、入金または出金を自動的に行う現金自動取引装置を具備し、利用者が限度額以上の取引を実施する場合は、自動対応サービス機で本人確認を行った後でなければ現金自動取引装置で現金取引ができないよう制限する現金自動取引システムを開示する」と記載されている。
【先行技術文献】
【特許文献】
【０００３】
【特許文献１】特開２００５−３３９１９２号公報
【発明の概要】
【発明が解決しようとする課題】
【０００４】
上記した背景技術では、現金自動取引装置において限度額以上の取引を実施する度に自動対応サービス機で利用する現金取引装置のＩＤと限度額を登録して本人確認をしなければならない。そのため即時性、利便性に欠ける。また、自動対応サービス機に本人確認の情報を登録、現金取引装置のＩＤを印刷する際に本人確認の情報が漏れる可能性がある。
【０００５】
そこで本発明は、利用者が入金または出金を自動的に行う現金自動取引装置を操作し、限度額を超える現金取引をおこなう前に取引限度額の設定を解除し、新たに取引限度額を設定し登録することができる自動自動取引システムを提供する。また現金自動取引装置に新たに設定する取引限度額を直接入力することなく取引限度額を設定することができる現金自動取引システムを提供する。また、現金自動取引装置で現金取引をする際に本人確認のための情報である暗証番号などの入力が不要な現金自動取引システムを提供する。
【課題を解決するための手段】
【０００６】
本発明は上記課題を解決する手段を複数含んでいるが、その一例を挙げるならば、「入金または出金を行う現金自動取引装置と、サーバーとデータベースからなる現金自動取引システムにおいて、前記データベースには限度額を解除するための入金取引情報と利用者が設定している取引限度額の情報が記録されている。利用者が前記現金自動取引装置で入金取引を実行したとき、前記サーバーは現金自動取引装置の入金された貨幣の金種、金額の情報を受信する手段と前記入金された貨幣の金種、金額の情報が前期データベースに記録されている限度額を解除するための入金取引情報と同じであるか否かを判断する手段と、前記限度額を解除するための入金取引情報が同じであった場合は現金自動取引装置の取引限度額を解除し、前期データベースの利用者が設定している取引限度額の情報を送信する手段を有する現金自動取引システム。」を特徴とする。
【発明の効果】
【０００７】
本発明によれば利用者が現金自動取引装置で簡単に取引限度額を解除し、利用者が予め登録している取引限度額に設定変更可能な現金自動取引システムを提供することができる。また、利用者が現金自動取引装置に本人確認のための磁気カードの暗証番号や新たに設定する取引限度額を直接入力することなく取引限度額を設定することができるため、本人確認のための情報や取引限度額の入力情報が漏れない現金自動取引システムを提供することができる。
【図面の簡単な説明】
【０００８】
【図１】現金自動取引システム図。
【図２】限度額変更判定処理フロー図１。
【図３】限度額変更判定処理フロー図２。
【発明を実施するための形態】
【０００９】
以下、本発明の現金自動取引装置および現金自動取引システムの実施の形態を図面にししたがって説明する。
【実施例１】
【００１０】
図１は現金自動取引装置の基本的構成と現金自動取引装置に接続されたシステム全体を示し、図２、図３、図４はシステム全体の取引フローを示している。
【００１１】
図１に示す現金自動取引システムは、現金自動取引装置１０１とネットワーク１０２およびホストコンピュータ１０３で構成される。
【００１２】
現金自動取引装置１０１は取引に使用する種々のユニットを備えている。カード取扱機構１０４は磁気カードに記録された情報を読み取る。カードには利用者の口座番号などが所定のフォーマットで記録されており、この情報は取引対象となる口座の特定、利用者の認証などに用いられる。通帳取扱機構１０７は通帳の磁気ストライプカードに記録された情報を読取ったり、通帳に入出金の記録を印字したりする。利用者との貨幣の授受は貨幣取扱機構１０５によって行われる。入金時には貨幣取扱機構１０５は、利用者が入出金口から挿入した貨幣を鑑別し、金種ごとに分類して収納庫１０６に保管する。出金時には貨幣取扱機構１０５は利用者の指示した金額分の貨幣を収納庫１０６から繰出し、入出金口から利用者に受け渡す。表示入力部１０８は取引選択画面や取引ガイダンスを表示したり、利用者が情報を入力するインターフェースである。
【００１３】
各ユニットの動作は、制御ユニット１０９によって制御される。制御ユニット１０９は内部にＣＰＵ１１１、通信制御部１１０、記憶部１１２を備えたマイクロコンピュータとして構成されている。通信制御部１１０はネットワーク１０２を通じてホストコンピュータ１０３のサーバー１１３と通信する機能を有し、記憶部１１２はホストコンピュータ１０３のサーバー１１３から受信したデータを記憶する機能を有している。
【００１４】
現金自動取引装置１０１には、ここで説明した他にも種々のユニットを搭載可能である。例えば取引結果を印刷した明細票を発行するための明細書取扱機構を備えてもよい。また、取引内容を紙媒体としてのジャーナルとして保存するための機構、即ち、ジャーナルプリンタおよび用紙の供給機構などを備えてもよい。
【００１５】
ネットワーク１０２は現金自動取引装置１０１とホストコンピュータ１０３間のデータ送受信をおこなっている。
【００１６】
ホストコンピュータ１０３はサーバー１１３とデータベース１１４で構成されている。
サーバー１１３はデータベース１１４に記録されているデータと現金自動取引装置１０１の通信制御部１１０からネットワーク１０２を通じて受信したデータを照合し、送信が必要と判断された場合はデータベース１１４のデータをネットワーク１０２を通じて現金自動取引装置１０１に送信する。データベース１１４には限度額を解除するための入金取引情報として限度額解除情報１１５、利用者が設定している取引限度額の情報として限度額設定情報１１６が記憶されている。
【００１７】
図２は限度額変更判定処理のフロー図の例を示す。
【００１８】
利用者２０１が現金自動取引装置１０１の表示入力部に表示されているメニュー選択画面で入金選択をし、通帳取扱機構の通帳挿入口に通帳を挿入をする（Ｓ２１１）。現金自動取引装置１０１は通帳に記録された口座番号を読み取り、サーバー１１３へ口座番号を送信する（Ｓ２１３）。サーバー１１３へ送信する情報は口座番号に限らず利用者２０１の確認ができる情報であれば他でもよい。サーバー１１３はデータベース１１４に記録されている情報の中から口座番号をキーに利用者の情報検索をおこなう（Ｓ２１３）。利用者２０１が本人であることが確認された後、現金自動取引装置１０１の貨幣取扱機構の入出金口に貨幣を挿入する入金操作をおこなう（Ｓ２１５）。入金された貨幣は貨幣取扱機構で鑑別され、貨幣の金額のデータが現金自動取引装置１０１からサーバー１１３に送信されると（Ｓ２１６）データベース１１４はサーバー１１３に記録されている利用者２０１の限度額解除情報１１５を返却する（Ｓ２１７）。利用者２０１の限度額解除情報１１５には、出金の限度額を解除するための入金取引情報が含まれている。サーバー１１３では現金自動取引装置１０１から送信された入金の金額のデータ（Ｓ２１６）とデータベース１１４に記録されている利用者２０１の限度額解除情報１１５を比較し、前記入金の金額データと限度額解除情報１１５の情報が同じ場合はサーバー１１３から現金自動取引装置１０１に限度額解除のコマンドを送信し（Ｓ２１９）、取引限度額の解除を行う（Ｓ２１１）。またサーバー１１３はデータベース１１４に対して限度額設定情報の要求を行い（Ｓ２２０）、データベース１１４の限度額設定情報１１６に記録されている利用者が設定登録している取引の限度額Ｂ１１７を現金自動取引装置１０１に送信する（Ｓ２１２）。現金自動取引装置１０１は限度額Ｂを受信すると取引の限度額を限度額Ｂに設定する（Ｓ２１３）。
【００１９】
もし現金自動取引装置１０１から送信された入金の金額のデータ（Ｓ２１６）とデータベース１１４に記録されている利用者２０１の限度額解除情報１１５を比較し、前記入金の金額データと限度額解除情報１１５の情報が異なる場合は取引限度額の解除はできず利用者２０１が設定登録している取引限度額へ設定変更することはできない。
【００２０】
次に利用者２０１は現金自動取引装置１０１の表示入力部に表示されているメニュー選択画面で出金の選択をおこない、出金する貨幣の金額を指示する出金操作をおこなう（Ｓ２１４）。利用者２０１が出金指示した貨幣の金額が、利用者２０１の情報で設定された取引の限度額Ｂより金額が低ければ（Ｓ２１５）、現金自動取引装置１０１の貨幣取扱機構は利用者２０１の指示した金額分の貨幣を収納庫から繰出し、入出金口から利用者２０１に受け渡す（Ｓ２１６）。
【００２１】
もし利用者２０１が出金指示した貨幣の金額が、利用者２０１の情報で設定された取引の限度額Ｂより金額が高ければ、利用者２０１の出金指示した金額分の貨幣を収納庫から繰出さず、入出金口から利用者２０１に受け渡さない（Ｓ２１７）。
【００２２】
そのため、利用者が現金自動取引装置に本人確認のための磁気カードの暗証番号や新たに設定する取引の限度額を直接入力することなく取引限度額を設定することができるため、本人確認のための情報や取引限度額の入力情報が漏れにくく、セキュリティが高いといえる。また、利用者が現金自動取引装置で取引限度額を解除し設定変更することができるため、操作性、利便性がよいといえる。
【実施例２】
【００２３】
また、図３は限度額変更判定処理のフロー図の例２を示す。
【００２４】
利用者２０１が現金自動取引装置１０１の表示入力部に表示されているメニュー選択画面で出金選択をし、カード取扱機構のカード挿入口にカード挿入をする（Ｓ３１１）。現金自動取引装置１０１はカードに記録された口座番号を読み取り、サーバー１１３へ口座番号を送信する（Ｓ２１３）。サーバー１１３はデータベース１１４に記録されている情報の中から口座番号をキーに利用者２０１の情報検索をおこなう。また出金取引の場合は、利用者２０１が現金自動取引装置１０１の表示入力部からパスワードを入力し（Ｓ３１４）、現金自動取引装置１０１からサーバー１１３へパスワードを送信し（Ｓ３１５）、サーバー１１３はデータベース１１４に記憶されている情報の中から利用者２０１の登録パスワード情報を検索し（Ｓ３１６）、現金自動取引装置１０１の表示入力部から入力したパスワードとデータベース１１４に記録されている登録パスワードが同じであり本人であることが特定できれば現金自動取引装置１０１から貨幣を出金することが可能となる。
出金が可能になると、現金自動取引装置１０１の表示入力部が出金指示入力画面になり、出金の入力操作をおこなう（Ｓ３１７）。
【００２５】
出金の入力操作で指示した金額分の貨幣を貨幣取扱機構の収納庫から繰り出し、入出金口から利用者に受け渡す（Ｓ３２１）。
【００２６】
このとき並行して表示入力部から出金操作で指示した貨幣の金種のデータが現金自動取引装置１０１からサーバー１１３送信される（Ｓ３１８）。サーバー１１３はデータベース１１４に記録されている利用者２０１の限度額解除情報１１５を返却する（Ｓ２１７）。利用者２０１の限度額解除情報１１５には、出金の限定額を解除するための出金取引情報が含まれている。サーバー１１３では現金自動取引装置１０１から送信された出金貨幣の金種データ（Ｓ３１８）とデータベース１１４に記録されている利用者２０１の限度額解除情報１１５の金種を比較し（Ｓ３２０）、前記出金貨幣の金種データと限度額解除情報１１５の情報が同じ場合は、次の限度額解除の判定条件に進む。
【００２７】
もし現金自動取引装置１０１から送信された出金貨幣の金種データ（Ｓ３１８）とデータベース１１４に記録されている利用者２０１の限度額解除情報１１５を比較し、前記出金貨幣の金種データと限度額解除情報１１５の金種の情報が異なる場合は取引限度額の解除はできず利用者２０１が設定登録している取引限度額へ設定変更することはできない。
【００２８】
続いて現金自動取引装置１０１から送信された出金貨幣の枚数データ（Ｓ３２３）とデータベース１１４に記録されている利用者２０１の限定額解除情報１１５に記録されている利用者２０１の限度額解除情報１１５の枚数を比較し（Ｓ３２２）、前記出金貨幣の枚数データと限度額解除情報１１５の情報が同じ場合は、サーバー１１３から現金自動取引装置１０１に限度額解除のコマンドを送信し（Ｓ２１９）、取引限度額の解除を行う（Ｓ２１１）。
【００２９】
もし現金自動取引装置１０１から送信された出金貨幣の枚数データ（Ｓ３２３）とデータベース１１４に記録されている利用者２０１の限度額解除情報１１５を比較し、前記出金貨幣の金種データと限度額解除情報１１５の枚数の情報が異なる場合は、取引限度額の解除はできず利用者２０１が設定登録している取引限度額へ設定変更することはできない。
【００３０】
またサーバー１１３はデータベース１１４に対して限度額設定情報の要求を行い（Ｓ２２０）、データベース１１４の限度額設定情報１１６に記録されている利用者が設定登録している取引の限度額Ｂ１１７を現金自動取引装置１０１に送信する（Ｓ２１２）。現金自動取引装置１０１は限度額Ｂを受信すると取引の限度額を限度額Ｂに設定する（Ｓ２１３）。
【００３１】
次に利用者２０１は現金自動取引装置１０１の表示入力部に表示されているメニュー選択画面で出金の選択をおこない、出金する貨幣の金額を指示する出金操作をおこなう（Ｓ２１４）。利用者２０１が出金指示した貨幣の金額が、利用者２０１の情報で設定された取引の限度額Ｂより金額が低ければ（Ｓ２１５）、現金自動取引装置１０１の貨幣取扱機構は利用者２０１の指示した金額分の貨幣を収納庫から繰出し、入出金口から利用者２０１に受け渡す（Ｓ２１６）。
【００３２】
もし利用者２０１が出金指示した貨幣の金額が、利用者２０１の情報で設定された取引の限度額Ｂより金額が高ければ、利用者２０１の出金指示した金額分の貨幣を収納庫から繰出さず、入出金口から利用者２０１に受け渡さない（Ｓ２１７）。
【００３３】
よって利用者が現金自動取引装置で出金限度額を解除する操作ができるため、操作性、利便性がよいといえる。
【００３４】
また、現金自動取引装置１０４で利用者１０４が複数回の出金操作をおこない（Ｓ３１７）、出金操作の度に出金を指示した金種と枚数のデータがデータベース１１４に記録されている利用者２０１の限度額解除情報１１５と同じ情報であることをサーバー１１３で比較し、情報が同じであれば取引限度額の解除（Ｓ２１１）や取引限度額の設定（Ｓ２１３）をおこなうことで、さらに取引限度額の設定変更が複雑になりセキュリティ効果を上げることができる。
【００３５】
図３では複数の取引を組み合わせる手段として出金操作をn回行う例を示している。現金自動取引装置１０１で利用者２０１の出金操作回数をカウントし、出金操作回数が限度額解除の取引回数n回以下の場合は（Ｓ３２４）、利用者１０４が出金を指示した金種と枚数のデータがデータベース１１４に記録されている利用者２０１の限度額解除情報１１５と同じ情報であることをサーバー１１３で比較する。出金操作回数が限度額解除の取引回数n回以上になった場合は（Ｓ３２４）、通常の出金操作（Ｓ２１４）となり、出金指示した金額が現金自動取引装置１０１に設定している取引限度額以下であれば出金可能であり、取引限度額以上であれば出金不可となる。
【００３６】
また、複数の取引は出金操作だけに限らず入金操作や出金操作と入金操作を複数組み合わせる手段もある。
【符号の説明】
【００３７】
１０１…現金自動取引装置、１０５…貨幣取扱機構、１１０…通信制御部、１１３…サーバー、１１４…データベース、１１５…限度額解除情報、１１６…限度額設定情報、１１７…限度額Ｂ、２０１…利用者。
【図１】
2013020320.tif 000003
【図２】
2013020320.tif 000004
【図３】
2013020320.tif 000005